(57)【要約】【課題】マクロ撮影を確実かつ容易に実行する。【解決手段】デジタルカメラは、通常撮影用レリーズボタンとマクロ撮影用レリーズボタンとを備え、それぞれユーザの右手で操作可能なように配置されている。通常撮影用レリーズボタンの半押しに応じて通常撮影範囲でオートフォーカスが実行され、マクロ撮影用レリーズボタン１１の半押しに応じてマクロ撮影範囲でオートフォーカスが実行される。各レリーズボタンの半押し時にＡＦ評価値のピークが検出されて被写体に合焦した場合であって各レリーズボタンが全押しされた場合には画像データの記録が実行される。一方、ＡＦ評価値のピークが検出されない場合には合焦不能と判断され、警告が発せられるとともに、各レリーズボタンの全押しは無効とされ、画像データの記録は実行されない。【選択図】図４
2008118367.tif 000002
【特許請求の範囲】
【請求項１】
第１至近位置とこの第１至近位置よりも遠い無限遠との間の通常撮影範囲に撮影レンズの焦点位置を合わせる通常撮影モードと、前記第１至近位置よりも近い第２至近位置とこの第２至近位置よりも前記無限遠側の所定位置との間のマクロ撮影範囲に撮影レンズの焦点位置を合わせるマクロ撮影モードとを有するカメラにおいて、
前記通常撮影モードで撮影を行う通常撮影用レリーズボタンと、
前記マクロ撮影モードで撮影を行うマクロ撮影用レリーズボタンとを設けたことを特徴とするカメラ。
【請求項２】
前記撮影レンズが合焦状態となるように前記焦点位置を自動で調節するオートフォーカス処理を行うオートフォーカス処理手段を備え、
前記各レリーズボタンは、前記オートフォーカス処理手段に前記オートフォーカス処理の実行を指示する第１段操作と、この第１段操作からさらに押し込まれて撮影の実行を指示する第２段操作とを有することを特徴とする請求項１記載のカメラ。
【請求項３】
前記第１段操作がなされた前記各レリーズボタンに対応する前記各撮影範囲に合焦不能であると前記オートフォーカス処理手段が判断した際に、前記第１段操作がなされた前記各レリーズボタンの前記第２段操作による撮影の実行を禁止する撮影禁止手段を設けたことを特徴とする請求項２記載のカメラ。
【請求項４】
前記第１段操作がなされた前記各レリーズボタンに対応する前記各撮影範囲に合焦不能であると前記オートフォーカス処理手段が判断した際に、警告を行う警告手段を設けたことを特徴とする請求項２又は３記載のカメラ。
【請求項５】
前記通常撮影モードと前記マクロ撮影モードとを切り替えるモード切替手段と、
前記モード切替手段によって前記通常撮影モードが選択された際に、前記マクロ撮影用レリーズボタンの操作を無効にし、前記モード切替手段によって前記マクロ撮影モードが選択された際に、前記通常撮影用レリーズボタンの操作を無効にするボタン操作制御手段とを設けたことを特徴とする請求項１記載のカメラ。
【請求項６】
前記撮影レンズをカメラボディの前面に設け、前記マクロ撮影用レリーズボタンをカメラボディの背面に設けたことを特徴とする請求項１から５のいずれか１項に記載のカメラ。
【請求項７】
前記マクロ撮影用レリーズボタンを前記カメラボディの背面かつ前記撮影レンズの略光軸上に設けたことを特徴とする請求項６記載のカメラ。
【請求項８】
前記撮影レンズが結像した被写体像を光電変換して前記被写体像に応じた画像データを取得するイメージセンサと、前記画像データを表示する表示パネルとをカメラボディに設け、
前記マクロ撮影用レリーズボタンを前記表示パネルと同一面上に配置したことを特徴とする請求項１から７のいずれか１項に記載のカメラ。
【発明の詳細な説明】
【技術分野】
【０００１】
本発明は、通常撮影モードと接写撮影を行うマクロ撮影モードとを有するカメラに関するものである。
【背景技術】
【０００２】
自動的に被写体にピントを合わせるオートフォーカス機能を備えたカメラが多く出回っており、このオートフォーカス機能によりユーザはクオリティの高い画像を簡単に取得することができる。デジタルカメラでは、例えば、画像データを基にして算出されたＡＦ評価値が最も高くなるようにレンズの合焦調節を行うコントラスト方式が採用されている。
【０００３】
一方、オートフォーカスの実行時、レンズを移動させながらＡＦ評価値が最も高くなる位置を割り出す、いわゆるサーチが行われる。このサーチに掛かる時間を短縮化するため、無限遠位置から第１至近位置までの通常撮影範囲と、この第１至近位置よりも近い第２至近位置とこの第２至近位置よりも無限遠側の所定位置との間で定められたマクロ撮影範囲とに分けてサーチを行う方式がある。通常撮影範囲をサーチして被写体を撮影する通常撮影モードの他に、マクロ撮影範囲をサーチして被写体を撮影するマクロ撮影モードを備えたことで、数センチメートルの至近に位置する被写体にピントを合わせて撮影することが可能となっていた。このような機能の拡充とともにそれらを使いこなすための工夫もなされ（特許文献１参照）、特に特許文献２ではマクロ撮影を確実に実行するため、特定のスイッチを操作しながらレリーズスイッチを操作したときにマクロ撮影モードで画像データの記録を開始するデジタルカメラが示されている。
【特許文献１】特開兵１１−３０５２９３号公報
【特許文献２】特開平１１―１１９３１６号公報
【発明の開示】
【発明が解決しようとする課題】
【０００４】
しかしながら、特許文献２に示されているように、ユーザによって操作されたときにマクロ撮影を許可するスイッチをデジタルカメラに備え、このスイッチが操作され、かつレリーズスイッチが操作されたときにマクロ撮影を実行する操作方法では、ユーザはマクロ撮影を許可するためのスイッチを操作しつつレリーズスイッチを操作しなければならず、２つの操作を同時に行わなければならないため使い難く感じることがあった。
【０００５】
本発明は上記の事情に鑑みてなされたものであり、その目的は、前述の通常撮影範囲とマクロ撮影範囲とでオートフォーカスを実行するカメラにおいて、マクロ撮影範囲の被写体を撮影するマクロ撮影を確実かつ容易に実行できるカメラを提供することにある。
【課題を解決するための手段】
【０００６】
上記目的を達成するため、第１至近位置とこの第１至近位置よりも遠い無限遠との間の通常撮影範囲に撮影レンズの焦点位置を合わせる通常撮影モードと、前記第１至近位置よりも近い第２至近位置とこの第２至近位置よりも前記無限遠側の所定位置との間のマクロ撮影範囲に撮影レンズの焦点位置を合わせるマクロ撮影モードとを有する本発明のカメラは、前記通常撮影モードで撮影を行う通常撮影用レリーズボタンと、前記マクロ撮影モードで撮影を行うマクロ撮影用レリーズボタンとを設けたことを特徴とする。
【０００７】
なお、前記撮影レンズが合焦状態となるように前記焦点位置を自動で調節するオートフォーカス処理を行うオートフォーカス処理手段を備え、前記各レリーズボタンは、前記オートフォーカス処理手段に前記オートフォーカス処理の実行を指示する第１段操作と、この第１段操作からさらに押し込まれて撮影の実行を指示する第２段操作とを有することが好ましい。
【０００８】
また、前記第１段操作がなされた前記各レリーズボタンに対応する前記各撮影範囲に合焦不能であると前記オートフォーカス処理手段が判断した際に、前記第１段操作がなされた前記各レリーズボタンの前記第２段操作による撮影の実行を禁止する撮影禁止手段を設けることが好ましい。
【０００９】
さらに、前記第１段操作がなされた前記各レリーズボタンに対応する前記各撮影範囲に合焦不能であると前記オートフォーカス処理手段が判断した際に、警告を行う警告手段を設けることが好ましい。
【００１０】
なお、前記通常撮影モードと前記マクロ撮影モードとを切り替えるモード切替手段と、前記モード切替手段によって前記通常撮影モードが選択された際に、前記マクロ撮影用レリーズボタンの操作を無効にし、前記モード切替手段によって前記マクロ撮影モードが選択された際に、前記通常撮影用レリーズボタンの操作を無効にするボタン操作制御手段とを設けることが好ましい。
【００１１】
また、前記撮影レンズは、カメラボディの前面に設けられ、前記マクロ撮影用レリーズボタンは、カメラボディの背面に設けられることが好ましい。
【００１２】
さらに、前記マクロ撮影用レリーズボタンは、前記カメラボディの背面かつ前記撮影レンズの略光軸上に設けられることが好ましい。
【００１３】
なお、前記撮影レンズが結像した被写体像を光電変換して前記被写体像に応じた画像データを取得するイメージセンサと、前記画像データを表示する表示パネルとをカメラボディに設け、前記マクロ撮影用レリーズボタンは、前記表示パネルと同一面上に配置されることが好ましい。
【発明の効果】
【００１４】
本発明のカメラによれば、通常撮影モードで撮影を行う通常撮影用レリーズボタンと、マクロ撮影モードで撮影を行うマクロ撮影用レリーズボタンとを設けたので、マクロ撮影範囲の被写体を撮影するマクロ撮影を確実かつ容易に実行できる。
【発明を実施するための最良の形態】
【００１５】
本発明のカメラであるデジタルカメラの第１実施形態について図１を用いて説明する。デジタルカメラ２の前面にはストロボ発光部７、ファインダ対物窓８が配置されている。カメラボディ３には、撮影レンズ５を保持したレンズ鏡筒２８が組み込まれている。撮影レンズ５は、例えば、フォーカスレンズを含む３群構成のものが用いられる。
【００１６】
デジタルカメラ２の左側の端部上面には、通常撮影モードで撮影を行うための通常撮影用レリーズボタン１０、マクロ撮影モードで撮影を行うためのマクロ撮影用レリーズボタン１１、及び電源スイッチ６が設けられている。各レリーズボタン１０、１１は、２段階押しのボタンになっており、オートフォーカスなどの撮影準備処理を指示する半押しと、撮影の実行を指示する全押しとを有している。マクロ撮影用レリーズボタン１１は、通常撮影用レリーズボタン１０よりも中央より側縁から離されており、マクロ撮影用レリーズボタン１１であることを示す、例えば「花」を象ったマークが付されている。また、通常撮影用レリーズボタン１０にはノーマルの「Ｎ」のマークが付されている。
【００１７】
図２に示すように、デジタルカメラ２の背面には表示パネルである液晶パネル１３、ファインダ接眼窓１５、切り替えスイッチ１７、操作レバー２０などが備えられ、液晶パネル１３はカメラボディ３背面の略中央に配置されている。この液晶パネル１３の上にはファインダ接眼窓１５が配置され、ファインダ接眼窓１５の横には、静止画像データを形成して記録メディアに記録する静止画撮影モード、記録メディアに記録された画像データを基に形成されたサムネイル画像を液晶パネル１３に表示するリプレイモード、１秒当たり数十フレームの動画を撮影する動画撮影モード等のいずれかに定める切り替えスイッチ１７が配置されている。切り替えスイッチ１７の横にはズーム等を調節する際に上下操作される操作レバー２０が配置され、操作レバー２０の下には、フォトモードボタン２２、液晶パネル１３に表示されたメニューの選択や実行を行う際に押圧される選択／実行ボタン２３、メニュー実行のキャンセル時等に押圧操作されるキャンセルボタン２４が配置されている。
【００１８】
図３に示すように、デジタルカメラ２には、ＣＣＤイメージセンサ３０、ＣＣＤドライバ３２、アナログ処理回路３４、ＣＰＵ３６、ＲＯＭ３８、ＳＤＲＡＭ４０、デジタル処理回路４２、ＡＦ検出回路４３、メディアコントローラ５０、モータドライバ５２、圧縮処理回路５４、ストロボ制御回路、ＬＣＤドライバ５６、通常撮影用レリーズスイッチ６０、マクロ撮影用レリーズスイッチ６１等が備えられている。
【００１９】
レンズ鏡筒２８、モータ６７、及びモータドライバ５２によってレンズ制御部が構成される。レンズ鏡筒２８に保持された撮影レンズ５は、モータ６７の駆動によって、第１至近位置とこの第１至近位置よりも遠い無限遠との間の通常撮影範囲と、前記第１至近位置よりも近い第２至近位置とこの第２至近位置よりも前記無限遠側の所定位置との間のマクロ撮影範囲とに焦点位置が合わせられる。
【００２０】
また、撮影レンズ５の焦点位置は、通常撮影モードでの撮影の際に通常撮影範囲内の所定の位置に合わせられ、マクロ撮影モードでの撮影の際にマクロ撮影範囲内の所定の位置に合わせられる。各撮影範囲は、例えば、通常撮影範囲は無限遠から５０センチメートル、マクロ撮影範囲は６センチメートルから６０センチメートルと予め定められているが、これらの撮影範囲はこの設定に限らず、適宜変更してよい。
【００２１】
通常撮影用レリーズスイッチ６０は通常撮影用レリーズボタン１０の操作に応答して作動し、通常撮影用レリーズボタン１０が半押し（第１段操作）されたときには第１半押し信号を出力し、通常撮影用レリーズボタン１０が全押し（第２段操作）されたときには第１レリーズ信号を出力する。また、同様にマクロ撮影用レリーズスイッチ６１はマクロ撮影用レリーズボタン１１の操作に応答して作動し、マクロ撮影用レリーズボタン１１が半押し（第１段操作）されたときには第２半押し信号を出力し、マクロ撮影用レリーズボタン１１が全押し（第２段操作）されたときには第２レリーズ信号を出力する。
【００２２】
被写体光を光電変換によって電気的な画像信号に変換するＣＣＤイメージセンサ３０は、ＣＣＤドライバ３２から供給される駆動パルスによって駆動が制御されている。アナログ信号処理回路３４は、相関二重サンプリング回路、増幅回路、Ａ／Ｄ変換回路等から構成され、ＣＣＤイメージセンサ３０から入力された画像信号に対してノイズ除去や、増幅処理、欠陥画素の補完処理などを施し、さらにアナログの画像信号を、所定ビット数のデジタル信号に変換し、画像データとして出力する。この画像データは、ＲＡＷデータであり、データバスを介して一旦ＳＤＲＡＭ４０に格納される。なお、スルー画像を取得するときにもアナログ処理回路３４からは画素数が減らされたＲＡＷデータが出力され、ＬＣＤドライバ５６を介してスルー画像が液晶パネル１３に表示される。
【００２３】
デジタル処理回路４２では、各レリーズスイッチ６０、６１から第１、第２レリーズ信号が入力されたとき、ＳＤＲＡＭ３０から読み出された１画面分の画像データ（ＲＡＷデータ）に所定の信号処理などを施す。圧縮処理回路５４はＲＡＷデータに対して各種補正処理を施し、さらにＹＣ分離処理を施して輝度信号（Ｙ）と色差信号（Ｃｂ、Ｃｒ）とからなるＹＣデータとして出力し、画質設定に応じてＹＣデータにさらにＪＰＥＧ形式などの圧縮処理を施した画像データを出力する。圧縮処理回路５４から出力された画像データは、メディアコントローラ５０に送られる。メディアコントローラ５０は、記録メディア６５にアクセスして画像データを書き込み、これにより記録メディア６５に画像データが保存される。
【００２４】
ＲＯＭ３８は、例えば不揮発性のフラッシュメモリで構成され、デジタルカメラ２を制御するための制御プログラム等を記憶している。ＣＰＵ３６は適宜ＲＯＭ３８からプログラムを読み出して実行する。なお、ＣＰＵ３８はその他の電子回路全般の制御も行っている。
【００２５】
ＬＣＤドライバ５６は、液晶パネル１３の駆動を制御しており、例えば、切り替えスイッチ１７が静止画撮影モードにセットされているときには、アナログ処理回路３４からのＲＡＷデータを処理して被写体画像が所定のフレームレートで間欠的に更新されるスルー画像を液晶パネル１３に表示させる。
【００２６】
ＡＦ検出回路４３は、いわゆるコントラスト方式のＡＦ制御を行っており、デジタル処理回路４２で形成された画像データを基に画像のコントラストを評価するためのＡＦ評価値を算出する。ＡＦ評価値は、例えば、画像内から抽出された特定領域内の画像データの輝度値などから算出される。
【００２７】
ＡＦは通常撮影範囲とマクロ撮影範囲とで実行可能となっており、例えばフォーカスレンズを移動させて無限遠から至近、もしくは至近から無限遠に向かって探索（サーチ）し、この間にＡＦ検出回路４３によってＡＦ評価値が算出されており、このＡＦ評価値が最大となるポイントにフォーカスレンズが配置される。
【００２８】
通常撮影用レリーズスイッチ６０から第１半押し信号がＣＰＵ３６に入力されたとき、これに応答して通常撮影範囲内のサーチが実行されて通常撮影範囲内の被写体に対してピント合わせが行われる。通常撮影範囲内のサーチでＡＦ評価値がピークとなる位置が検出された場合は、この位置にフォーカスレンズが配置され、ＣＰＵ３６は画像データの記録を許可する。これにより、通常撮影用レリーズスイッチ６０から第１レリーズ信号が入力されたとき、メディアコントローラ５０は記録メディア６５に画像データを書き込むことが可能となる。
【００２９】
マクロ撮影用レリーズスイッチ６１からの第２半押し信号がＣＰＵ３６に入力されたとき、これに応答してマクロ撮影範囲内のサーチが実行されてマクロ撮影範囲内の被写体に対してピント合わせが行われる。マクロ撮影範囲内のサーチでＡＦ評価値がピークとなる位置が検出された場合は、この位置にフォーカスレンズが配置され、ＣＰＵ３６は画像データの記録を許可する。これにより、マクロ撮影用レリーズスイッチ６１から第２レリーズ信号が入力されたとき、メディアコントローラ５０は記録メディア６５に画像データを書き込むことが可能となる。
【００３０】
第２半押し信号がＣＰＵ３６に入力されたときに実行されるピント合わせにおいて、ＡＦ評価値のピークが検出されず、マクロ撮影範囲の無限遠側に向かってＡＦ評価値が漸増している場合は、合焦不能と判断され、ＣＰＵ３６は撮影の実行を禁止する。さらに、デジタルカメラ２に備えられたスピーカ６８から警告音が出力され、液晶パネル１３に通常撮影用レリーズボタン１０の押圧を促すメッセージが表示される。また、第１半押し信号が入力されたときに実行されるピント合わせにおいて、ＡＦ評価値のピークが検出されず通常撮影範囲の至近側に向かってＡＦ評価値が漸増している場合は被写体に合焦不能と判断され、ＣＰＵ３６は撮影の実行を禁止する。さらに、デジタルカメラ２に備えられたスピーカ６８から警告音が出力され、液晶パネル１３にマクロ撮影用レリーズボタン１１の押圧を促すメッセージが表示される。
【００３１】
次に、本発明の作用について図４を用いて説明する。デジタルカメラ２の電源がオンされると液晶パネル１３には被写体の画像が一定期間ごとに更新されるスルー画像が表示される。デジタルカメラ２の一方の側端の上部には通常撮影用レリーズボタン１０、及びマクロ撮影用レリーズボタン１１が並べて配置されており、各レリーズボタン１０、１１はユーザの右手によって押圧操作可能となっている。このように、各レリーズボタン１０、１１を設けることにより、各撮影モードの切り替えなどを行うことなく撮影を行うことができるので、マクロ撮影を確実かつ容易に実行することができる。
【００３２】
通常撮影用レリーズボタン１０が半押しされると通常撮影範囲でサーチが行われ、ＡＦ評価値のピークとなる位置が探索される。通常撮影範囲内にＡＦ評価値のピークが検出された場合には、そのピーク位置にフォーカスレンズが配置され、通常撮影用レリーズボタン１０の全押しに応答して被写体の画像データが記録メディア６５に記録される。
【００３３】
一方、通常撮影範囲内にＡＦ評価値のピークが検出されなかった場合、ＣＰＵ３６は、通常撮影用レリーズボタン１０の全押しによる第１レリーズ信号を受け付けないようにすることにより、通常撮影モードでの撮影の実行を禁止する。また、これと同時に、液晶パネル１３にマクロ撮影用レリーズボタン１１の押圧を促すメッセージが表示するとともにスピーカ６８から警告音が出力し、誤った撮影範囲のレリーズボタンが押圧されたことをユーザに報知する。
【００３４】
マクロ撮影用レリーズボタン１１が半押しされると、至近側の位置が通常撮影範囲よりも近いマクロ撮影範囲でサーチが行われ、ＡＦ評価値のピークとなる位置が探索される。マクロ撮影範囲内にＡＦ評価値のピークが検出された場合には、そのピーク位置にフォーカスレンズが配置され、マクロ撮影用レリーズボタン１１の全押しに応答して被写体の画像データが記録メディア６５に記録される。一方、マクロ撮影範囲内にＡＦ評価値のピークが検出されなかった場合には、通常撮影時と同様に、マクロ撮影モードでの撮影実行の禁止と、警告とが行なわれる。これにより、誤った撮影モードで撮影が実行されることを防止することができるとともに、誤った撮影モードの各レリーズボタン１０、１１を押圧したことをユーザに気付かせることができる。
【００３５】
なお、本例では、各レリーズボタン１０、１１の全押しによるレリーズ信号をＣＰＵ３６が受け付けないようにすることによって撮影の実行を禁止するようにしているが、これに限ることなく、例えば、各レリーズボタン１０、１１の押圧を機械的に阻止することによって、撮影の実行を禁止するようにしてもよい。また、本例では、液晶パネル１３による映像とスピーカ６８による音声とによって警告を行うようにしているが、これに限ることなく、例えば、ＬＥＤなどを発光させることによって光で警告を行うようにしてもよいし、振動モータなどによって振動で警告を行うようにしてもよい。
【００３６】
また、上記実施形態では、デジタルカメラ２の一方の側端の上部に通常撮影用レリーズボタン１０及びマクロ撮影用レリーズボタン１１を並べて配置したが、マクロ撮影用レリーズボタン１１の配置はこれに限らず、カメラボディの背面に備えてもよい。図５に示すように、デジタルカメラ８０の前面には、撮影レンズ８３、ファインダ対物窓８５、ストロボ発光部８７などが備えられ、撮影レンズ８３はレンズ鏡筒８８によって保持されている。レンズ鏡筒８８はカメラボディ８１に組み込まれており、例えば、前方に突出した突出位置とカメラボディ８１内に収納された収納位置との間で撮影レンズ８３の光軸に沿って沈胴する。デジタルカメラ２の上面には通常撮影用レリーズボタン９０等が配置されている。
【００３７】
図６に示すように、デジタルカメラ８０背面にはファインダ接眼窓９１、表示パネルである液晶パネル９３、十字操作キー９５、マクロ撮影用レリーズボタン９７が配置されている。マクロ撮影用レリーズボタン９７は液晶パネル９３の右側近傍に配置され、例えば、ユーザの右手親指で押圧操作可能となっている。マクロ撮影用レリーズボタン９７が半押しされるとマクロ撮影範囲内の被写体にピントが合わせられ、マクロ撮影用レリーズボタン９７が全押しされると画像データの記録が開始される。このように、マクロ撮影用レリーズボタン９７を液晶パネル９３の周囲に配置したことで、ユーザは液晶パネル９３を見ながらマクロ撮影用レリーズボタン９７を視認することができ、マクロ撮影用レリーズンボタン９７を確実に操作することができる。
【００３８】
また、マクロ撮影用レリーズボタンはカメラボディの背面であってレンズの略光軸上に位置するように配置してもよい。図７に示すように、撮影レンズ１０３を保持するレンズ鏡筒１０５は、カメラボディ１０１の右端寄りに備えられ、撮影レンズ１０３の光軸方向に沿って沈動自在となっている。カメラボディ１０１の左端部の上部には通常撮影用レリーズボタン１０７が配置され、ユーザの右手で押圧操作できるようになっている。
【００３９】
図８に示すように、カメラボディ１０１の背面には、液晶パネル１１１、十字操作キー１１３、マクロ撮影用レリーズボタン１１５が備えられている。マクロ撮影用レリーズボタン１１５はカメラボディ１０１背面の左側寄りであって、撮影レンズ１０３の略光軸上に配置されている。これにより、マクロ撮影用レリーズボタン１１５はユーザの左手親指で操作可能となっており、マクロ撮影用レリーズボタン１１５の押圧方向は光軸方向にほぼ一致する。マクロ撮影用レリーズボタン１１５を、カメラボディ１０１の背面であって撮影レンズ１０３の略光軸上に配置したことで、マクロ撮影用レリーズボタン１１５の押圧時に光軸と略垂直をなす方向へのカメラボディのぶれが低減され、よりクオリティの高い画像を取得することができる。また、ユーザは右手で通常撮影用レリーズボタン１０７を操作し、左手でマクロ撮影用レリーズボタン１１５を操作できるため、それぞれの手に対し１つずつレリーズボタンを対応付けることができ、通用撮影用レリーズボタン１０７及びマクロ撮影用レリーズボタン１１５を混同することなく操作させることができる。
【００４０】
また、上記第１実施形態では、通常撮影用レリーズスイッチ６０及びマクロ撮影用レリーズスイッチ６１がオンされたとき、これに応答して通常撮影範囲もしくはマクロ撮影範囲がサーチされて被写体にピントが合わせられて画像データの記録が実行されたが本発明はこれに限らない。以下に、通常撮影範囲内の被写体に対してピント合わせを行う通常撮影モードとマクロ撮影範囲内の被写体に対してピント合わせを行うマクロ撮影モードとを備え、モードが決定された後に通常撮影用レリーズスイッチもしくはマクロ撮影用レリーズスイッチがオンされるようにした第２実施形態について示す。なお、第１実施形態と同じ部分については同様の符号を付して詳しい説明は省略する。
【００４１】
図９に示すように、デジタルカメラ１２０は、通常撮影モードとマクロ撮影モードとを切り替えるためにユーザによって操作されるモード切替スイッチ（モード切替手段）１３０、モード切替スイッチ１３０の切替信号に応じて通常撮影モードとマクロ撮影モードとを切り替えるモード制御回路１２２を備えている。
【００４２】
図１０に示すように、ＣＰＵ１３５は、電源がオンされると、モード切替スイッチ１３０が通常撮影モードに設定されているかマクロ撮影モードに設定されているかを確認する。マクロ撮影モードに設定されていることを確認したＣＰＵ１３５は、通常撮影用レリーズスイッチ１３１からの各信号を受け付けないようにすることにより、通常撮影用レリーズボタンの操作を無効にする。一方、通常撮影モードに設定されていることを確認したＣＰＵ１３５は、マクロ撮影用レリーズスイッチ１３２からの各信号を受け付けないようにすることにより、マクロ撮影用レリーズボタンの操作を無効にする。
【００４３】
このように、通常撮影モードとマクロ撮影モードとを切り替えるモード切替スイッチ１３０を備え、設定された撮影モードのレリーズボタンだけを有効にすることにより、誤った撮影モードでの撮影を確実に防止することができる。なお、この際、操作を向こうにするだけでなく、設定されていない撮影モードのレリーズボタンが操作された際に、警告などを行うようにしてもよい。
【００４４】
また、上記各実施形態では、ＣＣＤイメージセンサ３０からの画像信号を基に画像データを形成するデジタルカメラを例示したが、本発明はこれに限らず、写真フイルムを用いた銀塩カメラに用いることもできる。例えば、位相差方式のオートフォーカス機能を備えた銀塩カメラに通常撮影用レリーズスイッチとマクロ撮影用レリーズスイッチとを備え、通常撮影用レリーズスイッチからのレリーズ信号の入力に応答してシャッタが作動して写真フイルムを露光し、もしくはマクロ撮影用レリーズスイッチからのレリーズ信号の入力に応答してシャッタが作動して写真フイルムを露光する。このように銀塩カメラに通常撮影用レリーズスイッチとマクロ撮影用レリーズスイッチとを備えたことで、撮影の失敗を低減できる。
【図面の簡単な説明】
【００４５】
【図１】本発明のカメラであるデジタルカメラの外観を前方から観察した外観斜視図である。
【図２】デジタルカメラの背面を示す外観斜視図である。
【図３】デジタルカメラの電気的な構成について概略的に示したブロック図である。
【図４】本発明のデジタルカメラを用いて行われる撮影のフローチャートである。
【図５】液晶パネルの傍にマクロ撮影用のマクロ撮影用レリーズスイッチを設けたデジタルカメラを正面から観察した斜視図である。
【図６】液晶パネルの傍にマクロ撮影用のマクロ撮影用レリーズスイッチを設けたデジタルカメラの背面斜視図である。
【図７】カメラボディの背面であってレンズ鏡筒の後背にマクロ撮影用レリーズスイッチを備えたデジタルカメラを正面から観察した斜視図である。
【図８】カメラボディの背面であってレンズ鏡筒の後背にマクロ撮影用レリーズスイッチを備えたデジタルカメラの背面斜視図である。
【図９】通常撮影モードとマクロ撮影モードとを備えたデジタルカメラのブロック図である。
【図１０】通常撮影モードとマクロ撮影モードとを備えたカメラで行われる撮影のフローチャートである。
【符号の説明】
【００４６】
２  デジタルカメラ（カメラ）
３  カメラボディ
５  撮影レンズ
１０  通常撮影用レリーズボタン
１１  マクロ撮影用レリーズボタン
１３  液晶パネル（表示パネル）
３０  ＣＣＤイメージセンサ
３６  ＣＰＵ（撮影禁止手段）
４３  ＡＦ検出回路（オートフォーカス処理手段）
６０  通常撮影用レリーズスイッチ
６１  マクロ撮影用レリーズスイッチ
６８  スピーカ（警告手段）
１３０  モード切替スイッチ（モード切替手段）
１３５  ＣＰＵ（ボタン操作制御手段）
【図１】
2008118367.tif 000003
【図２】
2008118367.tif 000004
【図３】
2008118367.tif 000005
【図４】
2008118367.tif 000006
【図５】
2008118367.tif 000007
【図６】
2008118367.tif 000008
【図７】
2008118367.tif 000009
【図８】
2008118367.tif 000010
【図９】
2008118367.tif 000011
【図１０】
2008118367.tif 000012